(57)【要約】【課題】  長期間の設置によりが煙感知器の内部に付着した埃や固着性の汚れを清掃する際に、作業しやすい煙感知器を提供する。【解決手段】  カバー本体４に光学台カバー５を簡易な嵌合によって軽く固定し、カバー本体４を着脱可能に固定部３に取り付ける。清掃作業の際にカバー本体４をはずすと光学台カバー５が一体的に、はずれて煙感知器１の内部が露出し、直接布や綿棒等で清掃が可能な構造とする。カバー本体４と光学台カバー５は軽く固定されているため、清掃作業中に光学台カバー５がはずれてしまうことがなく、はずしたい場合には容易に取りはずすことができる。【選択図】図２
2019164769.tif 000002
【特許請求の範囲】
【請求項１】
発光素子と受光素子を収容した光学台と、
前記光学台が載置された裏板と、
前記光学台をカバーする光学台カバーと、
前記光学台カバーを覆うカバー本体と、を備え、
前記裏板から前記カバー本体が取り外された際に、前記光学台カバーは前記カバー本体と一体的に前記光学台から取り外されることを特徴とする煙感知器。
【請求項２】
前記カバー本体は、開口部を有する傾斜部と、前記傾斜部の前記開口部の側に一端が接続されて立設された複数の支柱と、複数の前記支柱の他端に接続された保護板と、前記開口部、前記支柱と前記保護板に囲まれた煙流入部を有し、
前記光学台カバーは、周縁部が前記支柱の内側に嵌合して着脱自在に固定されていることを特徴とする請求項１に記載の煙感知器。
【請求項３】
前記光学台カバーは、粘着により着脱可能に前記カバー本体に固定されることを特徴とする請求項１に記載の煙感知器。
【請求項４】
発光素子と受光素子を収容した光学台と、
前記光学台が載置された裏板と、
前記光学台をカバーする第１光学台カバーと、
前記第１光学台カバーを覆う第２光学台カバーと、
前記第２光学台カバーを覆うカバー本体と、を備え、
前記第１光学台カバーと前記第２光学台カバーにより前記光学台の内部を遮光し、
前記裏板から前記カバー本体が取り外された際に、前記第１光学台カバーが前記光学台に取り付けられている状態で、前記第２光学台カバーが前記カバー本体と一体的に前記光学台から取り外されることを特徴とする煙感知器。
【請求項５】
前記カバー本体は内側に係止柱を有し、
前記第２光学台カバーは、側方に突出板を有し、
前記係止柱の係止片が前記突出板を係止することを特徴とする請求項４に記載の煙感知器。
【発明の詳細な説明】
【技術分野】
【０００１】
本発明は、装置内部に検煙部を備えた煙感知器に関するものである。
【背景技術】
【０００２】
煙感知器には、虫等の検煙部への侵入を防止するために、一般的に防虫網が設けられている。しかし、設置から長期間経過した煙感知器には、設置場所によっては細かい埃や油等が防虫網を通り抜けて検煙部に侵入し、内部に汚れが溜まる可能性がある。内部に埃、油、ヤニなどの汚れが溜まると、光の反射や散乱が生じたり煙の流入を阻害したりして、非火災報や感度低下を起こす可能性が生じてしまう。そのような場合には、煙感知器の内部を清掃し汚れを除去すればよい。しかし清掃の際には、天井等の高所において煙感知器に複数ある部品を取り外して分解し、それぞれの部品を清掃し、再び組み立てて設置しなおさなければならず、清掃作業に時間がかかっていた。これを解決するため、煙感知器の部品をほとんど取りはずすことなく掃除機等をあてがい、吸引によって内部の埃を除去する方法が考えられた。
【先行技術文献】
【特許文献】
【０００３】
【特許文献１】特願２０１７−１７５５０３号
【発明の概要】
【発明が解決しようとする課題】
【０００４】
特許文献１には、外面に吸引専用の孔を設けて内部の埃を除去することができる煙感知器が記載されている。しかし、特許文献１の煙感知器では、内部に侵入した埃や砂塵等の粉塵は除去できても、油汚れやタバコのヤニ等による固着性の汚れは除去しにくい。本発明は、掃除の際における部品の取り外しを簡略化し、清掃作業者の負担を減らしながら、部品交換などのコストをかけずに性能を維持できる煙感知器の提供を課題とするものである。
【課題を解決するための手段】
【０００５】
本発明は、上記の課題を解決するためのものであり、以下の構成を有する。
【０００６】
（１）本発明は、発光素子と受光素子を収容した光学台と、前記光学台が載置された裏板と、前記光学台をカバーする光学台カバーと、前記光学台カバーを覆うカバー本体と、を備え、前記裏板から前記カバー本体が取り外された際に、前記光学台カバーは前記カバー本体と一体的に前記光学台から取り外されることを特徴とする煙感知器である。
【０００７】
（２）また、本発明は、前記カバー本体は、開口部を有する傾斜部と、前記傾斜部の前記開口部の側に一端が接続されて立設された複数の支柱と、複数の前記支柱の他端に接続された保護板と、前記開口部、前記支柱と前記保護板に囲まれた煙流入部を有し、前記光学台カバーは、周縁部が前記支柱の内側に嵌合して着脱自在に固定されていることを特徴とする（１）に記載の煙感知器である。
【０００８】
（３）また、本発明は、前記光学台カバーは、粘着により着脱可能に前記カバー本体に固定されることを特徴とする（１）に記載の煙感知器である。
【０００９】
（４）また、本発明は、発光素子と受光素子を収容した光学台と、前記光学台が載置された裏板と、前記光学台をカバーする第１光学台カバーと、前記第１光学台カバーを覆う第２光学台カバーと、前記第２光学台カバーを覆うカバー本体と、を備え、前記第１光学台カバーと前記第２光学台カバーにより前記光学台の内部を遮光し、前記裏板から前記カバー本体が取り外された際に、前記第１光学台カバーが前記光学台に取り付けられている状態で、前記２光学台カバーが前記カバー本体と一体的に前記光学台から取り外されることを特徴とする煙感知器である。
【００１０】
（５）また、本発明は、前記カバー本体は内側に係止柱を有し、前記第２光学台カバーは、側方に突出板を有し、前記係止柱の係止片が前記突出板を係止することを特徴とする(４)に記載の煙感知器である。
【００１１】
（６）また、本発明は、前記発光素子と前記受光素子が設置された基板を、前記裏板と前記光学台の間に有し、前記光学台カバーは周囲にフランジを有し、前記フランジが前記支柱の内側に嵌合して着脱自在に前記カバー本体に固定されることを特徴とする（２）に記載の煙感知器である。
（７）また、本発明は、前記フランジの外周に凹部を設け、当該凹部に前記支柱の内側が嵌入して前記光学台カバーが前記カバー本体に固定されることを特徴とする（６）に記載の煙感知器である。
【発明の効果】
【００１２】
本発明によれば、煙感知器の下部を覆っているカバー本体を取りはずすだけで光学台や光学台カバーの汚れを直接掃除でき、埃や油汚れ等を除去して非火災報や感度低下を防ぐ煙感知器を実現できる。
【図面の簡単な説明】
【００１３】
【図１】本発明の実施例１における、光電式スポット型の煙感知器１の分解図。
【図２】本発明の実施例１における、煙感知器１を固定部３とカバー部２に分解した図。
【図３】本発明の実施例１における、カバー部２の煙流入部４５付近の端面を示す切断部端面図。
【図４】本発明の実施例１における、カバー部２の支柱４４付近の端面を示す切断部端面図。
【図５】本発明の実施例１における、カバー部２のフランジ５２部分での断面図。
【図６】本発明の実施例２における光電式スポット型の煙感知器の分解図。
【図７】本発明の実施例２における煙感知器を固定部とカバー部に分解した図。
【図８】本発明の実施例２におけるカバー部上面の斜投影図。
【図９】本発明の実施例２におけるカバー部上面図の、係止柱部分の拡大図。
【図１０】本発明の実施例２におけるカバー部の、図９におけるＤ−Ｄ線切断部端面図。
【図１１】本発明の実施例２における煙感知器の垂直方向の切断部端面図。
【図１２】本発明の実施例２における第１光学台カバーの下面図。
【図１３】本発明の実施例２における第２光学台カバーの上面図。
【発明を実施するための形態】
【００１４】
以下に、本願の発明を実施するための形態を記載する。なお、上下方向は煙感知器の水平な天井への設置状態での上下で示す。水平方向及び垂直方向も同様である。
【実施例１】
【００１５】
図１は、本発明の実施例１における、光電式スポット型の煙感知器１の分解図である。実施例１の煙感知器１は、カバー本体４、光学台カバー５、光学台６、基板７、裏板８の部品からなり、カバー本体４と光学台カバー５はカバー部２を、光学台６、基板７、裏板８は固定部３を構成している。また、光学台６と光学台カバー５、そして発光素子７１と受光素子７２と回路を備えた基板７により、検煙装置が構成される。
【００１６】
煙感知器１のカバー本体４は、天井等に取り付けられた煙感知器１の内部部品を下方から覆って保護する。カバー本体４の傾斜部４１は、カバー本体４の下面における周囲部分により内部部品を覆うものであり、傾斜が緩やかな円錐状となっている。また傾斜部４１の中央部分には円形に開口した開口部４２があり、検煙装置がはめ込まれる。カバー本体４の保護板４３は煙感知器１の最下部に位置し、検煙装置の下部を覆い保護する。
【００１７】
カバー本体４は、開口部４２を囲んで等間隔に６本の支柱４４を有する。支柱４４は、開口部４２近傍の傾斜部４１に一端が接続されて立設されている。支柱４４の他端は保護板４３に接続され、６本の支柱４４で保護板４３を支えている。煙流入部４５は、傾斜部４１における開口部４２の端部、支柱４４、保護板４３に囲まれた開口である。煙流入部４５は、カバー本体４の開口部４２の周囲に沿って６箇所設けられ、煙発生時に煙が検煙装置内の検煙部に流入する。確認灯窓４６は、確認灯７３をカバー本体４から露出させるために傾斜部４１に開けられた孔である。確認灯窓４６は確認灯７３の数にあわせて２箇所設けられているが、確認灯７３と確認灯窓４６は２箇所でなく１箇所でもよい。
【００１８】
煙感知器１の光学台カバー５は、カバー本体４と光学台６の間に設けられて、光学台６を下方と側方から覆う。光学台カバー５は下方における光学台カバー底部５３の周囲に６つの光学台カバー支柱５４が立設され、光学台カバー支柱５４の間に防虫網５５を備える。そして、防虫網５５の上部にリング状の周縁部５１が設けられている。周縁部５１、光学台カバー支柱５４，防虫網５５は、光学台カバー５が光学台６を覆った際に光学台６の周囲を取り囲む。周縁部５１には光学台６に直接固定するための構造はなく、光学台カバー５は光学台６に直接は固定されていない。なお、光学台カバー５の周縁部５１は上下方向で短くてもよく、光学台６上部の周囲を完全に塞がなくてもよい。
【００１９】
フランジ５２は周縁部５１の一部であり、防虫網５５の上部の外周に設けられ、周縁部５１の下端で光学台カバー５の外周方向へ突き出ている。また、フランジ５２はカバー本体４における開口部４２の内側の隙間を塞ぎ、いたずら等による煙感知器１の内部への異物侵入を防いでいる。フランジ５２には光学台カバー５をカバー本体４に固定するためのフランジ凹部５２１が設けられている。フランジ凹部５２１はカバー本体４の支柱４４に嵌合する。
【００２０】
光学台カバー５は光を吸収する黒色の樹脂により形成され、光学台カバー底部５３は下方から外光が透過して検煙装置へ侵入するのを防いでいる。光学台カバー支柱５４は、フランジ凹部５２１の下方に位置し、光学台カバー５がカバー本体４に取り付けられた状態で、カバー本体４の６箇所ある支柱４４の内側に位置する。光学台カバー５がカバー本体４に組み付けられた状態では、防虫網５５はカバー本体４における煙流入部４５の内側に位置し、検煙装置内への虫や埃、砂塵などの侵入を防ぐ。
【００２１】
なお、複数ある支柱４４や光学台カバー支柱５４は、安定して保護板４３や光学台カバー底部５３を支え、かつ煙の流入を遮らなければ６本よりも多くても少なくてもよく、５本や７本等でもよい。また、支柱４４および光学台カバー支柱５４は開口部４２の周りに等間隔に並んでいるが、等間隔でなくてもよい。隣り合う支柱４４に挟まれた煙流入部４５も同様である。
【００２２】
光学台６には、側方および上面からの外光の侵入を防止し、発光素子７１の光が直接に受光素子７２に届かないように、ラビリンス壁６１および図２に示す上面壁６２を有している。光学台６も光を吸収する黒色の樹脂により形成されている。ラビリンス壁６１内側の検煙部は、ラビリンス壁６１と上面壁６２に加え、光学台カバー５の光学台カバー底部５３によって覆われることで、外光の侵入が防がれている。
【００２３】
発光素子カバー６３は、基板７上に設置された発光素子７１を収容し、受光素子カバー６４は基板７上に設置された受光素子７２を収容する。発光素子カバー６３と受光素子カバー６４は、発光素子７１と受光素子７２の発光方向、受光方向を除いて覆っている。発光方向と受光方向の光軸は６０°ずれており、さらに発光素子７１と受光素子７２の間にラビリンス壁６１がある。そのため、発光素子７１からの光は受光素子７２に直接届かず、散乱光のみが届く。加えて、発光素子カバー６３と受光素子カバー６４は、発光素子７１と受光素子７２に埃等が付着するのを抑制し、清掃時に発光素子７１と受光素子７２に清掃用具が当接しないように保護して発光素子７１と受光素子７２の位置ずれを防ぐ。
【００２４】
基板７には発光素子７１と受光素子７２、煙感知のための回路のほか、受信機との通信のための回路および確認灯７３が備えられている。確認灯７３は煙を感知した際等に点灯し、作動状態を示す。発光素子７１はＬＥＤにより構成され、常時断続的に発光し、受光素子７２はフォトダイオードにより構成され、入光した光を受けて電気信号に変換する。基板固定ネジ７４は基板７を裏板８に固定し、さらに天井取付金具８１も固定する。また、光学台６は基板７に差し込まれて固定される。
【００２５】
光学台６、基板７、裏板８からなる固定部３は、天井取付金具８１によって天井に設けられた受け具（図示せず）に取り付けられる。また、裏板８は、スナップフィット接続口８２によってカバー部２のカバー本体４が取り付けられる。
【００２６】
図２は、実施例１における、煙感知器１を固定部３とカバー部２に分離した図である。検煙装置の内部を清掃する際には、図２の状態に分離して拭き取り等を行う。実施例１の煙感知器１は、カバー本体４に光学台カバー５を取り付けたカバー部２を、光学台６を基板７に固定し基板７を裏板８に固定した固定部３に、スナップフィット接続口８２によって着脱可能に取り付けることで組み立てられている。
【００２７】
カバー本体４と光学台カバー５からなるカバー部２は、光学台カバー５の周縁部５１のフランジ５２をカバー本体４の開口部４２に嵌合させて軽く取り付けたものである。カバー部２を固定部３から取り外した状態では、光学台カバー５の内側が露出し、清掃可能となる。また、光学台６、基板７、裏板８からなる固定部３は、光学台６のラビリンス壁６１、発光素子カバー６３、受光素子カバー６４、上面壁６２が露出し、清掃可能となる。
【００２８】
清掃時には、設置された煙感知器１からカバー部２のみを取り外せばよく、カバー本体４と光学台カバー５を別々にはずす必要がないため、作業しやすい。脚立等に登った清掃作業者が清掃を行う場合には、光学台カバー５等を置く場所が周辺にないため、別々にはずすとカバー本体４と光学台カバー５の２つを個々に保持しながら作業しなければならない。光学台カバー５等を台や床等に置くこともできるが、その場合は脚立から降りる等、移動しなければならない。しかし、本発明の実施例１では清掃作業者が保持する部品はカバー部２のみでよいため、片手でカバー部２のカバー本体４の部分を保持し、もう一方の手で布等の清掃用具を持って、容易に清掃することができる。清掃終了後は、カバー部２を固定部３に再び取り付けて火災による煙を監視させることができる。
【００２９】
煙感知器１は、天井等から固定部３が天井に取り付けられた状態のまま、図２のように光学台カバー５が嵌め込まれて取り付けられたカバー本体４を取りはずすことができる。そして、清掃作業者が設置状態の煙感知器１からカバー本体４を取り外した際に、光学台カバー５がカバー本体４から落ちることがない。また、内部の清掃のために天井から煙感知器１を取りはずして上下反転させ、固定部３からカバー部２を取りはずすと光学台カバー５がカバー本体４の下方になる。しかし、光学台カバー５がカバー本体４からはずれて落下しないため作業しやすい。
【００３０】
次に、図２において下部に示したカバー部２の断面構造を用いて、カバー本体４と光学台カバー５の係合等について説明する。図３は、本発明の実施例１における、カバー部２の煙流入部４５付近の端面を示す切断部端面図である。図３（ａ）は図上の切断位置を表すカバー部２の下面図、図３（ｂ）はカバー部２のＡ−Ａ線での切断部端面図、図３（ｃ）は図３（ｂ）の煙流入部４５部分の拡大図である。
【００３１】
下面図の図３（ａ）に示すように、カバー部２を下方から見るとカバー本体４のみ見ることができる。カバー本体４の中央には保護板４３があり、保護板４３の周囲の６箇所に等間隔に支柱４４が設けられ、支柱４４は周囲の傾斜部４１に接合している。
【００３２】
図３（ｂ）は、図３（ａ）において煙流入部４５と確認灯窓４６があるＡ−Ａ線の位置でカバー部２を切断した図である。光学台カバー５は、上方からカバー本体４に取り付けられ、カバー本体４の開口部４２の内側に嵌合して固定されている。カバー本体４における煙流入部４５のすぐ内側には光学台カバー５の防虫網５５が位置している。
【００３３】
図３（ｃ）は図３（ｂ）における煙流入部４５の左下部分の拡大図である。下方にはカバー本体４の保護板４３、そして左上方には傾斜部４１が開口部４２から延在している。傾斜部４１と保護板４３の間は開口して煙流入部４５を形成する。そして、カバー本体４の保護板４３の上には光学台カバー５の光学台カバー底部５３が、カバー本体４の煙流入部４５の内側には光学台カバー５の防虫網５５が、カバー本体４開口部４２の内側には光学台カバー５の周縁部５１のフランジ５２が位置する。
【００３４】
図３（ｃ）の端面図に示すように、周縁部５１は左方へ延びるフランジ５２を有している。周縁部５１は円筒形状をしていて、カバー部２が固定部３に取り付けられた状態では、固定部３に載置された光学台６の上方の周囲を囲む。周縁部５１の下端にあるフランジ５２は、周縁部からリング状に突出している。
【００３５】
防虫網５５は、金属製のメッシュを円筒状に形成し、カバー本体４の煙流入部４５の内側に設けられている。そして、虫や大きめの埃、砂塵等が検煙装置へ侵入しないように防いで非火災報を防止している。一方で、防虫網５５は感知器周囲に到達した火災の煙を妨げず、検煙装置内へ流入させる。カバー部２を固定部３に取り付けた煙感知器１において、図３（ｃ）では、火災の煙は左方から煙流入部４５を通り、防虫網５５を通過して光学台カバー５に覆われた検煙装置の内部に入る。そして、細かい埃等の微粒子や油煙等も左方より検煙装置内部に入り込む。侵入した細かい埃等の微粒子や油汚れ等は光学台カバー底部５３や光学台６に付着するので、清掃により除去する。また、感知器の設置期間が長くなると、防虫網５５の内側や外側に埃等が付着して煙が流入しにくくなる場合があるが、防虫網５５の内側と外側を清掃することにより付着した埃等を除去することができる。
【００３６】
図４は、本発明の実施例１における、カバー部２の支柱４４付近の端面を示す切断部端面図である。図４（ａ）はカバー部２のＢ−Ｂ線での切断部端面図、図４（ｂ）は図４（ａ）の支柱４４部分の拡大図である。
【００３７】
図４（ａ）は、図３（ａ）の下面図において、支柱４４のあるＢ−Ｂ線の位置でカバー部２を切断した図であり、図にはカバー本体４に光学台カバー５が取り付けられた状態の切断部端面が示されている。図４（ａ）の端面図では、スナップフィット４７の切断面がカバー本体４の左右上方に示されている。スナップフィット４７が、図１に示した裏板８のスナップフィット接続口８２に接続することで、カバー部２が固定部３に取り付けられる。また、清掃の際には下方の孔から棒状体を差し込んでスナップフィット接続口８２を外方へ押す。そして、このスナップフィット４７をスナップフィット接続口８２から外し、カバー部２を下方に引き抜くことで、カバー部２を構成するカバー本体４と光学台カバー５を一体的に取りはずすことができる。なお、棒状体でスナップフィット４７を内方に押して取り外すものとしても良い。
【００３８】
図４（ｂ）は図４（ａ）の左下に位置する支柱４４部分の拡大図である。図４（ｂ）は切断部端面図であるが、説明のため背後にあるフランジ５２を図に示しており、支柱内側凸部４４１の背後にフランジ凹部５２１の側面が示されている。図の下方にはカバー本体４の保護板４３、そして左方には支柱４４を挟んでカバー本体４の傾斜部４１がある。カバー本体４の保護板４３の上には光学台カバー５の光学台カバー底部５３が、カバー本体４の支柱４４の内側には光学台カバー５の光学台カバー支柱５４と周縁部５１が位置する。
【００３９】
周縁部５１は、カバー部２が固定部３へ取り付けられている状態で、光学台６には直接的に取り付けられない。このため、カバー本体４のスナップフィット４７をはずしてカバー部２を固定部３から取り外したときに、光学台カバー５の周縁部５１は光学台６から容易に離間し、光学台カバー５がカバー本体４側に残る。従来の煙感知器では、本発明の実施例１の周縁部５１と光学台６に相当する部分が直接的に固定されたり取り付けられたりした検煙装置を用いていた。しかし本発明の実施例１では、周縁部５１は光学台６等の固定部３に直接取り付けられていないため、清掃作業時に光学台カバー５を光学台６から取りはずす操作をすることなく、カバー本体４とともに光学台カバー５が外れる。
【００４０】
カバー本体４において、支柱４４は開口部４２から内方へ突出しており、支柱内側凸部４４１となっている。また光学台カバー５において、フランジ５２は支柱内側凸部４４１にあわせて切り欠かれており、フランジ凹部５２１となっている。カバー部２では各支柱４４の支柱内側凸部４４１はフランジ凹部５２１に嵌入して、光学台カバー５を固定している。嵌入によって、図４（ｂ）に示したフランジ凹部５２１の側面が支柱内側凸部４４１の側面を挟み込み、摩擦により固定がなされている。
【００４１】
このように支柱内側凸部４４１を利用することで、他に特別な構成を設けることなく光学台カバー５をカバー本体４に取り付けることができる。さらに、フランジ凹部５２１により光学台カバー５の回転方向の位置が規定されるので、光学台カバー支柱５４が支柱４４の内側に位置決めされ、煙流入部４５からの煙の流入を妨げる位置にずれることがない。
【００４２】
光学台カバー５はカバー本体４の内側に支柱４４の部分で軽く固定されている。そのため、周縁部５１を摘まんでカバー本体４の開口部４２から光学台カバー５を引き抜くことで、支柱内側凸部４４１からフランジ凹部５２１が外れ、カバー本体４と光学台カバー５を容易に分離することができる。
【００４３】
図５は、本発明の実施例１における、カバー部２のフランジ５２部分での断面図である。図５（ａ）は図上の切断位置を表すカバー部２の側面図、図５（ｂ）はカバー部２のＣ−Ｃ線での断面図、図５（ｃ）は図５（ｂ）の支柱４４部分の拡大図である。
【００４４】
図５（ａ）はカバー部２の側面図であり、図３（ａ）と同様にカバー本体４に光学台カバー５が取り付けられている。カバー部２を側方から見ると、支柱４４に挟まれたカバー本体４の煙流入部４５の奥に光学台カバー５の防虫網５５の外側が露出している。図５（ａ）は、図５（ｂ）の断面図の切断線であるＣ−Ｃ線の位置を示した図であり、Ｃ−Ｃ線は光学台カバー５のフランジ５２とカバー本体４の支柱４４を共に切断する水平面である。
【００４５】
図５（ｂ）は、フランジ５２と支柱４４のあるＣ−Ｃ線の位置でカバー部２を切断した図である。カバー部２の中央部分は開口していて、固定部３に取り付けられた際には光学台６が位置する。図５（ｂ）ではカバー本体４の傾斜部４１の内側に、筒状の光学台カバー５が嵌合している様子が示されている。図の断面のうち、内側の断面は光学台カバー５のフランジ５２部分の断面であり、外側の断面はカバー本体４の開口部４２直上の断面であって支柱４４と傾斜部４１の断面になっている。
【００４６】
図５（ｃ）は図５（ｂ）の支柱４４部分の拡大図である。図５（ｃ）のように支柱内側凸部４４１はフランジ凹部５２１に嵌入している。実施例１の煙感知器１では、それぞれの支柱４４において支柱内側凸部４４１がフランジ凹部５２１に嵌入することで、カバー本体４と光学台カバー５が組み合わさって一体となる。また嵌入の際には、フランジ凹部５２１の二つの側面が支柱内側凸部４４１の二つの側面を挟み込んで接触し、これによりカバー本体４に光学台カバー５が取り付けられる。なお、フランジ凹部５２１と支柱内側凸部４４１の嵌合は側面による挟み込みでなく、凹部の底と凸部の山の接触による摩擦によるものでもよいし、フランジ５２の外周面と傾斜部４１の開口部４２における内周面との接触による摩擦によるものでもよい。
【００４７】
光学台カバー５はカバー本体４と嵌合して軽く固定されているだけであるため、汚れが激しい場合などに光学台カバー５をカバー本体４から分離して清掃したい場合に、脱着が自在である。またこのとき、支柱内側凸部４４１とフランジ凹部５２１の係合ではカバー本体４と光学台カバー５の接触部分が少ないため、引き抜きやすい。また図のように、フランジ５２があることでカバー本体４と光学台カバー５との隙間が塞がれる。そのため、悪戯などにより針金を差し込まれて基板７を傷つけられたり、異物が侵入したりすることが避けられる。
【００４８】
本発明の実施例１によれば、光学台６の内部を清掃する際に、カバー本体４と光学台カバー５をカバー部２として一度に取りはずすことができ、検煙装置の内部を露出させて埃や油汚れ等を除去できる。このとき清掃作業者が取りはずし作業をしたり把持したりする部品はカバー本体４のみでよく、清掃がしやすい。また、カバー本体４と光学台カバー５が一体化されているため、取り外して清掃した後にカバー本体４と光学台カバー５を一度に取り付けることができる。清掃の際に、固定部３が天井に取り付けられたままカバー部２をはずした場合には、カバー部２を片手で持ちつつ光学台６や光学台カバー５の内側を布や綿棒等で掃除することができる。そして、掃除の際に光学台カバー５の側を下に向けてカバー本体４を持っても、光学台カバー５が落下することがなく、作業しやすい。また、煙感知器を天井等からはずしてからカバー部２をはずす場合には、煙感知器１の上下を反転させてからはずすことになる。その際にも下方に位置する光学台カバー５はカバー本体４から落下しない。光学台カバー５とカバー本体４の接続には保護板４３を支える支柱４４を利用しているので、他の構成を設けることなく簡易な構成で着脱可能に取り付けることができる。そして、支柱内側凸部４４１とフランジ凹部５２１により位置決めされるため、光学台カバー５とカバー本体４の回転方向の位置が定まる。このため、光学台カバー支柱５４は支柱４４の内側に位置し、煙の流入を妨げない。また、光学台カバー５とカバー本体４との隙間をフランジ５２で覆うため、いたずら等により開口部４２から基板７に向けて針金などの部材が差し込まれることを防止できる。
【００４９】
＜実施例１の変形例＞
実施例１で光学台カバー５の周縁部５１に設けたフランジ５２は、なくてもよい。この場合、各支柱４４の内側や傾斜部４１の開口部４２における内周面に周縁部５１が嵌合して光学台カバー５を着脱自在に固定することができる。また、実施例１の煙感知器１ではラビリンス壁６１は光学台６に備えられているが、ラビリンス壁６１の一部または全部を光学台カバー５側に備えてもよい。そして、特許文献１のようにラビリンスと検煙部の２層構造としたものでもよい。
【００５０】
また、光学台カバーとカバー本体との接続に、両面テープの粘着による方法を使用してもよい。この場合も、簡易な構成で光学台カバーを着脱可能にカバー本体に固定することができる。この方法を用いると、製造済みの従来の煙感知器の光学台カバーにおいて、光学台等への接続部分を取り除き、光学台カバー底部等をカバー本体の保護板の裏等に両面テープで固定することで、着脱可能なカバー部を備えた本発明の実施例１の煙感知器へ容易に作り変えることができる。
【００５１】
また、実施例１は、カバー本体に開口部を有する傾斜部を有し、開口部の周囲に設けられた複数の支柱を介して保護板を設けることにより、煙流入部が下方に突出した感知器によって説明したが、本願発明はこれに限定されることなく、種々の感知器に適用可能なものである。
例えば、煙流入部がカバー本体の側面に設けられ、煙流入部が下方に突出しない薄型の感知器に適用しても良い。
【実施例２】
【００５２】
図６は、本発明の実施例２における、光電式スポット型の煙感知器１１の分解図である。実施例２の煙感知器１１は、カバー本体１４、第２光学台カバー１５、第１光学台カバー１９、光学台１６、光学台１６の水平方向に一体的に延在する光学台延在部１７、裏板１８の部品からなり、カバー本体１４と第２光学台カバー１５はカバー部１２を、第１光学台カバー１９、光学台１６、光学台延在部１７、裏板１８は固定部１３を構成している。また、光学台１６と光学台延在部１７の上方には発光素子、受光素子、回路基板が設けられ、光学台１６と第１光学台カバー１９、第２光学台カバー１５、光学台延在部１７、発光素子、受光素子、回路基板により、検煙装置が構成される。検煙装置内部のラビリンスの空間は第１光学台カバー１９によって上下二層に分かれている。図６において、光学台１６は直接見えていないが、第１光学台カバー１９の上部に設けられており、略円筒形の壁とその上に接続された略円板部、発光素子と受光素子用の開口部、ラビリンス壁等により形成される。光学台１６と第１光学台カバー１９により形成する上側のラビリンスは検煙部１６５となっており、第１光学台カバー１９と第２光学台カバー１５により形成する下側のラビリンスは遮光と導煙の役割を持っている。固定部１３からカバー部１２を取り外した状態では、下部のラビリンス内部が露出する。
【００５３】
煙感知器１１のカバー本体１４は、天井等に取り付けられた煙感知器１１の内部部品を下方から覆って保護する。カバー本体１４の傾斜部１４１は、カバー本体１４の下面における周囲部分により内部部品を覆うものであり、傾斜が緩やかな円錐状となっている。また傾斜部１４１の中央部分には円形に開口した開口部１４２があり、第２光学台カバー１５がはめ込まれる。カバー本体１４の保護板１４３は煙感知器１１の最下部に位置し、第２光学台カバー１５の下部を覆い保護する。
【００５４】
カバー本体１４は、開口部１４２を囲んで等間隔に６本の支柱１４４を有する。支柱１４４は、開口部１４２近傍の傾斜部１４１に一端が接続されて立設されている。支柱１４４の他端は保護板１４３に接続され、６本の支柱１４４で保護板１４３を支えている。煙流入部１４５は、傾斜部１４１における開口部１４２の端部、支柱１４４、保護板１４３に囲まれた開口である。煙流入部１４５は、カバー本体１４の開口部１４２の周囲に沿って６箇所設けられ、煙発生時に煙が検煙装置内に流入する。確認灯窓１４６は、回路基板に具えられた確認灯１７３の光がカバー本体１４下部から視認できるように傾斜部１４１に設けられた窓であり、透明な樹脂部材が嵌め込まれている。確認灯窓１４６は確認灯１７３の数にあわせて２箇所設けられているが、確認灯１７３と確認灯窓１４６は２箇所でなく１箇所でもよい。
【００５５】
煙感知器１１の第２光学台カバー１５は、カバー本体１４と第１光学台カバー１９の間に設けられて、検煙装置の内部を下方と側方から覆う。第２光学台カバー１５は、光を吸収する黒色の樹脂により形成されている。第２光学台カバー１５には、下方における第２カバー底部１５３の周囲に６つの光学台カバー支柱１５４が立設され、光学台カバー支柱１５４の上部にリング状の周縁部１５１が設けられている。周縁部１５１と光学台カバー支柱１５４の内側には防虫網１５５が備えられる。そして、周縁部１５１と光学台カバー支柱１５４、第２カバー底部１５３の外周部により、開口である煙流入口１５９が形成される。周縁部１５１、光学台カバー支柱１５４、防虫網１５５、煙流入口１５９は、第２光学台カバー１５が検煙装置の下部を覆った際に検煙装置の周囲を取り囲む。なお、第２光学台カバー１５には固定部１３の構成に直接固定するための構造はない。
【００５６】
フランジ１５２は周縁部１５１の一部であり、周縁部１５１の上端で第２光学台カバー１５の外周方向へ突出している。また、フランジ１５２は第２光学台カバー１５がカバー本体１４に取り付けられた際に開口部１４２の上方の隙間を塞ぎ、埃等の侵入と共に、いたずら等による煙感知器１１の内部への異物侵入を防ぐ。フランジ１５２には第２光学台カバー１５をカバー本体１４に固定するために突出板１５６が設けられている。突出板１５６はフランジ１５２外周端の一部からさらに上方へ伸びたあと、外側へ板状に突出している。第２光学台カバー１５の両側には突出板１５６が１つずつ設けられており、また突出板１５６には突出板切欠き１５６ａが設けられている。
【００５７】
第２光学台カバー１５の底面に設けられた円盤状の第２カバー底部１５３は、中央部分と外周部分が低く、その中間部分が高くなっている。円環凹部１５８ｂは、この中間部分の下面側であり、後述する図８の円環凸部１５８ａは、この中間部分の上面側である。円環凹部１５８ｂ、円環凸部１５８ａは第２カバー底部１５３の中央部分を円形に囲んでいる。第２カバー底部１５３は下方から外光が透過して検煙装置へ侵入するのを防ぐとともに、側方から検煙装置内部に侵入した外光を円環凸部１５８ａ等による円環状の凹凸構造により遮る。
【００５８】
防虫網１５５は、金属製のメッシュを円筒状に形成したものであり、第２光学台カバー１５における光学台カバー支柱１５４及び煙流入口１５９の内側に設けられる。煙感知器１１を設置した状態では、防虫網１５５はカバー本体１４の煙流入部１４５の内側に位置し、虫や大きめの埃、砂塵等が検煙装置の内部へ侵入しないようにして、非火災報を防止している。一方で、防虫網１５５は感知器周囲に到達した火災の煙を妨げず、検煙装置内へ流入させる。第２光学台カバー１５がカバー本体１４に組み付けられた状態では、カバー本体１４における煙流入部１４５の内側に煙流入口１５９が位置し、防虫網１５５はすべての煙流入口１５９を内側から覆っている。光学台カバー支柱１５４は、第２光学台カバー１５がカバー本体１４に取り付けられた状態で、カバー本体１４の６箇所ある支柱１４４の内側に位置する。なお、複数ある支柱１４４や光学台カバー支柱１５４は、安定して保護板１４３や第２カバー底部１５３を支え、かつ煙の流入を遮らなければ６本よりも多くても少なくてもよく、５本や７本等でもよい。また、支柱１４４および光学台カバー支柱１５４は開口部１４２の周りに等間隔に並んでいるが、等間隔でなくてもよい。隣り合う支柱１４４に挟まれた煙流入部１４５、及び煙流入口１５９も同様である。
【００５９】
煙感知器１１の第１光学台カバー１９は、第２光学台カバー１５と光学台１６の間に設けられていて、光学台１６を下方と側方から覆う。第１光学台カバー１９は第２光学台カバー１５と同様に光を吸収する黒色の樹脂により形成されている。第１光学台カバー１９では、中心部分にカバー中央開口１９３を持った円盤状の第１カバーディスク１９１の下面から、放射状に６枚の板状の煙導入フィン１９４が垂下している。第１カバーディスク１９１は、カバー中央開口１９３の周囲に厚肉部１９２があり、厚肉部１９２においてはカバー中央開口１９３へ近づくにしたがって下面側が徐々に下がるように厚くなっている。煙導入フィン１９４の下端は、第２カバー底部１５３の傾斜にほぼ合わせて凹状に切り欠かれている。第１光学台カバー１９と第２光学台カバー１５を合わせた際に、煙導入フィン１９４は光学台カバー支柱１５４の内側に位置し、ラビリンス壁としてカバー中央開口１９３の位置まで続く。カバー中央開口１９３は検煙装置の上下のラビリンス空間を繋げており、煙流入部１４５から煙流入口１５９に進入した煙はカバー中央開口１９３を通って上部の検煙部１６５に到達する。
【００６０】
光学台１６は光学台延在部１７の中央に一体的に設けられ、下面を第１光学台カバー１９に覆われる。検煙部１６５への側方および上面からの外光の侵入を防止し、発光素子の光が直接に受光素子に届かないように、光学台１６はラビリンス壁、周壁および上面壁を有している（図示せず）。光学台１６も第１光学台カバー１９等と同様に光を吸収する黒色の樹脂により形成されている。後述する図１１の検煙部１６５は、光学台１６の周壁と上面壁に加え、第１光学台カバー１９の第１カバーディスク１９１によって覆われており、カバー中央開口１９３のみが開口している。そしてカバー中央開口１９３では、煙導入フィン１９４と第２光学台カバー１５の第２カバー底部１５３により外光の侵入が防がれている。
【００６１】
回路基板には、煙感知のための回路、受信機との通信のための回路（図示せず）のほか、確認灯１７３が備えられ、発光素子と受光素子が光学台１６を介して接続されている。確認灯１７３は煙を感知した際等に点灯し、作動状態を示す。発光素子はＬＥＤにより構成され、常時断続的に発光し、受光素子はフォトダイオードにより構成され、入光した散乱光を受けて電気信号に変換する。基板固定ネジ１７４は光学台延在部１７を裏板１８に固定し、さらに天井取付金具１８１も裏板１８に固定する。光学台１６は光学台延在部１７と一体であり、固定されている。
【００６２】
裏板１８に光学台延在部１７及び光学台１６、第１光学台カバー１９を固定した固定部１３は、天井取付金具１８１によって天井に設けられた受け具（図示せず）に取り付けられる。また、裏板１８のネジ孔１８２を本体固定ネジ１８３が貫通し、カバー部１２のカバー本体１４が固定されることにより、固定部１３にカバー部１２が取り付けられる。
【００６３】
図７は、本発明の実施例２における煙感知器１１を固定部１３とカバー部１２に分解した図である。検煙装置の内部を清掃する際には、図７の状態に分離する。図７の状態の固定部１３は、図６と同様に裏板１８に光学台延在部１７及び光学台１６、第１光学台カバー１９及び天井取付金具１８１が取り付けられた状態である。カバー部１２は、カバー本体１４の開口部１４２に第２光学台カバー１５を嵌め込んで固定したものである。カバー部１２では煙流入部１４５から続く煙流入口１５９のすぐ内側に防虫網１５５が位置し、円形の開口部１４２と第２光学台カバー１５の隙間はフランジ１５２により塞がれる。
【００６４】
本実施例の煙感知器１１は、裏板１８のネジ孔１８２を通してカバー本体１４に本体固定ネジ１８３を着脱可能に取り付けることで組み立てられている。掃除の際は、天井取付金具１８１で取り付けられた煙感知器１１を天井から取り外し、２つの本体固定ネジ１８３をネジ孔１８２から外すことで図７のように固定部１３とカバー部１２に分離する。カバー部１２は、後述するようにカバー本体１４に第２光学台カバー１５が係止されている。こうして、第１光学台カバー１９、光学台１６及び光学台延在部１７、裏板１８からなる固定部１３は、第１光学台カバー１９の下面が露出し、清掃可能となる。さらに検煙部１６５についても、カバー中央開口１９３からエアダスター等により空気を噴射し、第１光学台カバー１９の上面及び光学台１６の内壁面に溜まった粉塵等を除去することができる。清掃作業者は、煙感知器１１を、固定部１３とカバー部１２の二つに分離するだけでよく、他に部品を取り外す必要がないため作業しやすい。
【００６５】
図８は、本発明の実施例２におけるカバー部１２上面の斜投影図である。カバー部１２を固定部１３から取り外した状態では、図８のように第２光学台カバー１５の内側が露出し、第２光学台カバー１５の清掃が可能となる。第２光学台カバー１５の内側は布やエアダスター等を用いて粉塵等の汚れを除去することができる。また、第２光学台カバー１５はカバー本体１４に固定されており、清掃作業中に第２光学台カバー１５が外れてしまうことがない。このため、清掃作業者がカバー部１２の内部に溜まった粉塵等をエアダスター等により除去することも可能であり、清掃の作業がしやすい。清掃終了後は、カバー部１２を固定部１３に再び取り付ける。
【００６６】
次に、カバー本体１４と第２光学台カバー１５の係止等について説明する。図８には、カバー本体１４のネジ受け１４９、傾斜部１４１、及び係止柱１４７が、また第２光学台カバー１５の第２カバー底部１５３、中央突起１５７、円環凸部１５８ａ、防虫網１５５、周縁部１５１、フランジ１５２、突出板１５６が示されている。ネジ受け１４９は、裏板１８にカバー本体１４を取り付ける際に使用される本体固定ネジ１８３を固定するための孔が開いた円筒体であり、図８に示されるようにカバー本体１４の傾斜部１４１の上部に、中心からみて相対する位置に１本ずつ設けている。係止柱１４７はカバー本体１４の傾斜部１４１に、中心からみて相対する位置に１本ずつ設けており、第２光学台カバー１５を突出板１５６において固定する。また、係止柱１４７の中心部分は確認灯１７３の光を傾斜部１４１の下部側にある確認灯窓１４６に導くための孔となっていて、内部に透明な樹脂部材が上下に貫通して嵌め込まれている。第２光学台カバー１５の中央部分には、第２カバー底部１５３の上部に十字状の中央突起１５７が設けられている。第２カバー底部１５３では、中央突起１５７の周囲が上面側に円形に隆起して円環凸部１５８ａを形成している。第２カバー底部１５３の外周には防虫網１５５、周縁部１５１、フランジ１５２、図７に示した光学台カバー支柱１５４があり、フランジ１５２の一部が上方へ立設してさらに外側に屈曲し、突出板１５６を形成している。そして、突出板１５６が係止柱１４７に係止されることで、第２光学台カバー１５がカバー本体１４に固定される。
【００６７】
図９は、本発明の実施例２における、カバー部１２上面図の係止柱１４７部分の拡大図である。図９にはカバー本体１４の傾斜部１４１、ネジ受け１４９、係止柱１４７、係止片１４８と、第２光学台カバー１５のフランジ１５２、周縁部１５１、第２カバー底部１５３、突出板１５６、突出板切欠き１５６ａが示されている。図１０は、本発明の実施例２におけるカバー部１２の、図９に示したＤ−Ｄ線での切断部端面図である。図１０にはカバー本体１４の傾斜部１４１、確認灯窓１４６、開口部１４２、煙流入部１４５、保護板１４３、係止柱１４７、係止片１４８と、第２光学台カバー１５のフランジ１５２、周縁部１５１、防虫網１５５、煙流入口１５９、突出板１５６における突出板切欠き１５６ａの奥部が示されている。なお、図１０では係止柱１４７内部の透明樹脂は省略している。
【００６８】
図９に示すように、突出板１５６には突出板切欠き１５６ａが設けられており、図８に示すように２個所で係止柱１４７が突出板切欠き１５６ａに嵌め込まれることで第２光学台カバー１５の位置が定まる。図９，１０に示すように、係止柱１４７には係止片１４８が設けられており、突出板切欠き１５６ａの奥部を係止して第２光学台カバー１５の脱落が防止される。詳細には、開口部１４２付近の傾斜部１４１がフランジ１５２を下から支え、係止片１４８が突出板切欠き１５６ａの奥部で突出板１５６を上から押さえることにより、突出板切欠き１５６ａの奥部を上下に挟んで係止する。こうして、第２光学台カバー１５がカバー本体１４に固定される。
【００６９】
第２光学台カバー１５の取り付けの際には、フランジ１５２から伸びる突出板１５６の垂直面が内側に反り、スナップフィット機構により突出板切欠き１５６ａの位置で突出板１５６が係止片１４８により固定される。取り付けの際に、歪むのは主に突出板１５６の垂直部分であり、周縁部１５１に位置する防虫網１５５は図１０に示すように係止片１４８から遠いため歪みが少なく、金属製の防虫網１５５の塑性変形を防ぐことができる。また、突出板１５６を内側に歪ませる事でカバー本体１４と第２光学台カバー１５の脱着ができるため、フランジ１５２下部等の汚れが著しい場合などに必要に応じて取り外して清掃が可能である。
【００７０】
次に、実施例２の検煙装置の煙流路及び外光の遮断について説明する。図１１は、本発明の実施例２における煙感知器１１の垂直方向の切断部端面図である。図１１には、カバー本体１４、第２光学台カバー１５、第１光学台カバー１９、光学台１６、光学台延在部１７、裏板１８が示されている。そしてカバー本体１４の傾斜部１４１、保護板１４３、煙流入部１４５、第２光学台カバー１５の第２カバー底部１５３、中央突起１５７、円環凸部１５８ａ、防虫網１５５、煙流入口１５９、フランジ１５２、第１光学台カバー１９の第１カバーディスク１９１、厚肉部１９２、カバー中央開口１９３、そして検煙部１６５が示されている。円環凸部１５８ａは、外周から中心に向けて斜めに上昇し、その後斜めに下降する形状である。また、厚肉部１９２の下面は外周から中心に向けて斜めに下降し、その後に上昇している。上昇の角度より下降の角度の方が緩やかである。図１２は、本発明の実施例２における第１光学台カバー１９の下面図である。図１２には、第１カバーディスク１９１、厚肉部１９２、カバー中央開口１９３、煙導入フィン１９４、第１カバー接続部１９５が示されている。第１光学台カバー１９は第１カバー接続部１９５により光学台延在部１７に接続され固定される。図１３は、本発明の実施例２における第２光学台カバー１５の上面図である。図１３には、第２カバー底部１５３、中央突起１５７、円環凸部１５８ａ、周縁部１５１、フランジ１５２、突出板１５６、突出板切欠き１５６ａが示されている。中央突起１５７は上方からみて十字型をしており、第２カバー底部１５３の中央部分から上方に向けて垂直に突き出ている。
【００７１】
火災の煙は、６箇所に設けられて環状となる煙流入部１４５のいずれかの方向から煙感知器１１に進入する。火災の煙は図１１に記載された煙流入部１４５から煙流入口１５９を通り、防虫網１５５を通過して検煙装置の下部のラビリンスに入る。防虫網１５５を抜けて流入した煙は、第２カバー底部１５３と、図１２の第１カバーディスク１９１、煙導入フィン１９４に囲まれた扇形の空間を中心へ向かって進む。そして円環凸部１５８ａを越えて第２カバー底部１５３と厚肉部１９２の隙間を通り、ラビリンス下部の中央部分に進入する。ラビリンス下部の中央部分に達した煙は、中央突起１５７に妨げられて乱流が発生する。図１３に示すように、中央突起１５７は十字状に形成された壁であり、いずれの方向の煙流入口１５９からの空気の流れであっても流れを妨げる。そして、煙は上方のカバー中央開口１９３を抜けて検煙部１６５に流入する。図１１の上部の検煙部１６５では発光素子が断続的に発光しており、この光を受けた煙は散乱光により受光素子で感知される。
【００７２】
検煙装置では、外光が第１光学台カバー１９、第２光学台カバー１５により遮断され、検煙部１６５へは侵入できない構造になっている。煙感知器１１外部から図１１の下部の左右に示した煙流入部１４５に入る外光は、煙流入口１５９から防虫網１５５を抜けて検煙装置の下部のラビリンスに侵入する。このとき煙流入部１４５の斜め上方から入射する外光は円環凸部１５８ａによって遮られ、また煙流入部１４５の斜め下方から入射する光は厚肉部１９２の下面によって遮られるため、外光はカバー中央開口１９３を抜けて検煙部１６５に到達することはない。このように、第１光学台カバー１９と第２光学台カバー１５との間に形成される下層のラビリンスでは、煙が通過する空間を上下に曲げることにより、外光がカバー中央開口１９３のような開口から上層の検煙部１６５に達しない構造となっている。そして、この構造だけでも外光を防ぐことはできるが、実施例２ではさらに図６，７，１２に記載した煙導入フィン１９４により、外光の検煙部１６５への侵入を確実に防止している。
【００７３】
本発明の実施例２によれば、二層構造の煙感知器１１内部を清掃する際に、カバー本体１４と第２光学台カバー１５をカバー部１２として一体的に取り外すことができ、検煙装置の内部を露出させて布やエアダスター等により埃等を除去できる。このとき清掃作業者が煙感知器１１において取りはずし作業をする部品はカバー本体１４のみでよく、清掃がしやすい。また、カバー本体１４と第２光学台カバー１５が一体化されているため、取り外して清掃した後にカバー本体１４と第２光学台カバー１５を一度に取り付けることができる。そして、掃除の際に第２光学台カバー１５やカバー本体１４にエアダスター等により空気を吹き付けても第２光学台カバー１５が脱落することがなく、またカバー部１２をはずしている最中にも第２光学台カバー１５がカバー本体１４から落下することがない。そのため清掃作業が容易である。第２光学台カバー１５とカバー本体１４の接続には突出板１５６と係止片１４８によるスナップフィット構造を利用して着脱可能に取り付けられている。着脱の際、歪ませるのは突出板１５６の垂直面であり、防虫網１５５は係止片１４８の位置から遠くて歪みが生じにくいため、金属製の防虫網１５５の塑性変形を防ぐことができる。そして、突出板切欠き１５６ａと係止柱１４７により位置決めされるため、第２光学台カバー１５とカバー本体１４の回転方向の位置が定まる。このため、光学台カバー支柱１５４は支柱１４４の内側に位置し、煙の流入を妨げない。また、第２光学台カバー１５とカバー本体１４との隙間をフランジ１５２で覆うため、いたずら等により開口部１４２から光学台延在部１７に向けて針金などの部材が差し込まれることを防止できる。
【００７４】
実施例２では、カバー本体１４は内側に複数の係止柱１４７を有し、第２光学台カバー１５は、側方に複数の突出板１５６を有する。そして、突出板１５６における突出板切欠き１５６ａに係止柱１４７を嵌め込み、係止柱１４７の係止片１４８で突出板１５６を押さえ込むことでカバー本体１４に第２光学台カバー１５を係止し、カバー部１２を形成する。また、第１光学台カバー１９は固定部１３の一部として固定される。そして、カバー部１２が固定部１３に取り外し可能に固定されるため、固定部１３からカバー部１２を一体的に取りはずして、露出した第１光学台カバー１９の内部と第２光学台カバー１５を清掃することができる。
【００７５】
また、実施例２では、発光素子と受光素子を収容した光学台１６と、光学台１６をカバーする第１光学台カバー１９と、第１光学台カバー１９を覆う第２光学台カバー１５と、第２光学台カバー１５を覆うカバー本体１４と、を備えている。第１光学台カバー１９は中心にカバー中央開口１９３を有すると共に、カバー中央開口１９３の周囲に、カバー中央開口１９３へ近づくにしたがって下面側が徐々に下がるように厚くなる厚肉部１９２を有する。また、第２光学台カバー１５は、円筒状の周縁部１５１と複数の光学台カバー支柱１５４と円盤状の第２カバー底部１５３と、を有し、周縁部１５１と複数の光学台カバー支柱１５４と第２カバー底部１５３とにより囲まれて煙流入口１５９が開口する。そして、第２カバー底部１５３は厚肉部１９２より外側の位置で上方に向けて突出する円環凸部１５８ａを有し、円環凸部１５８ａの上面と厚肉部１９２の下面により煙の流路を上下させるラビリンスを形成して、外光がカバー中央開口１９３を通って上方の検煙部１６５へ至らないようにしている。このようにして、第１光学台カバー１９と第２光学台カバー１５により光学台１６の内部を遮光する。
【００７６】
＜実施例２の変形例＞
実施例２では、煙感知器１１を天井から外した後に本体固定ネジ１８３を外して固定部１３とカバー部１２に分け、清掃する構造になっているが、実施例１のように固定部１３を天井から外さずに内部の清掃ができる構造としてもよい。実施例１の変形例と同様に第２光学台カバー１５とカバー本体１４との接続に、両面テープの粘着による方法を使用してもよい。この場合も、簡易な構成で第２光学台カバー１５を着脱可能にカバー本体１４に固定することができる。
また、実施例２の煙感知器１１では、カバー本体１４において、傾斜部１４１の中央に開口部１４２を有し、開口部１４２の周囲に設けられた複数の支柱１４４を介して保護板１４３を設けることにより、煙流入部１４５が下方に突出した形状となっている。しかし、本願発明はこれに限定されることなく、種々の感知器に適用可能なものである。例えば、煙流入部１４５がカバー本体１４の側面に設けられ、煙流入部１４５が下方に突出しない薄型の感知器に適用しても良い。
実施例２では、煙導入フィン１９４や中央突起１５７により、煙は検煙部１６５に誘導されやすいが、煙導入フィン１９４や中央突起１５７の一方又は両方がなくても煙の感知は可能である。
実施例２では、図１１に示すようにカバー中央開口１９３の周囲に厚肉部１９２を備えて遮光している。しかし、第１光学台カバー１９はカバー中央開口１９３へ近づくにしたがって下面側が徐々に下がれば、厚肉にしなくても遮光することができる。また、第２光学台カバー１５の円環凸部１５８ａがある方が遮光性は高いが、なくても第１光学台カバー１９においてカバー中央開口１９３周囲が外側から徐々に下がって、最後に斜めに上昇する構造であれば、検煙部１６５への遮光性を持たせつつ煙を滑らかに検煙部１６５に誘導することができる。
実施例２では、周辺の煙流入口１５９から中心に向かう方向において、第１光学台カバー１９の下面が中心近くで徐々に下がり、第２光学台カバー１５の上面が周辺部で徐々に上がって徐々に下がる構造となっている。そして、第１光学台カバー１９と第２光学台カバー１５の間に形成される空間を上下方向に曲げることにより遮光するラビリンス構造としている。しかし、外周から第１光学台カバー１９に設けた開口に至る空間が上下方向に曲がっていれば、円環凸部１５８ａや厚肉部１９２のような構造でなくても遮光するラビリンスを得ることができる。例えば、第１光学台カバー１９から小半径の円筒が下方に突出し、第２光学台カバー１５から大半径の円筒が上方に突出したものでもよい。しかしながら、実施例２のように突出部を斜面形状とした方が、煙が流入しやすい。また、第１光学台カバー１９がカバー中央開口１９３の周辺で下方へ突出していなくても、第２光学台カバー１５の円環凸部１５８ａによりカバー中央開口１９３に外光が到達しにくい。
【符号の説明】
【００７７】
１  煙感知器、２  カバー部、３  固定部、４  カバー本体、４１  傾斜部、４２  開口部、４３  保護板、４４  支柱、４４１  支柱内側凸部、４５  煙流入部、４６  確認灯窓、４７  スナップフィット、５  光学台カバー、５１  周縁部、５２  フランジ、５２１  フランジ凹部、５３  光学台カバー底部、５４  光学台カバー支柱、５５  防虫網、６  光学台、６１  ラビリンス壁、６２  上面壁、６３  発光素子カバー、６４  受光素子カバー、７  基板、７１  発光素子、７２  受光素子、７３  確認灯、７４  基板固定ネジ、８  裏板、８１  天井取付金具、８２  スナップフィット接続口、
１１  煙感知器、１２  カバー部、１３  固定部、１４  カバー本体、１４１  傾斜部、１４２  開口部、１４３  保護板、１４４  支柱、１４５  煙流入部、１４６  確認灯窓、１４７  係止柱、１４８  係止片、１４９  ネジ受け、１５  第２光学台カバー、１５１  周縁部、１５２  フランジ、１５３  第２カバー底部、１５４  光学台カバー支柱、１５５  防虫網、１５６  突出板、１５６ａ  突出板切欠き、１５７  中央突起、１５８ａ  円環凸部、１５８ｂ  円環凹部、１５９  煙流入口、１６  光学台、１６５  検煙部、１７  光学台延在部、１７３  確認灯、１７４  基板固定ネジ、１８  裏板、１８１  天井取付金具、１８２  ネジ孔、１８３  本体固定ネジ、１９  第１光学台カバー、１９１  第１カバーディスク、１９２  厚肉部、１９３  カバー中央開口、１９４  煙導入フィン、１９５  第１カバー接続部
【図１】
2019164769.tif 000003
【図２】
2019164769.tif 000004
【図３】
2019164769.tif 000005
【図４】
2019164769.tif 000006
【図５】
2019164769.tif 000007
【図６】
2019164769.tif 000008
【図７】
2019164769.tif 000009
【図８】
2019164769.tif 000010
【図９】
2019164769.tif 000011
【図１０】
2019164769.tif 000012
【図１１】
2019164769.tif 000013
【図１２】
2019164769.tif 000014
【図１３】
2019164769.tif 000015